(57)【特許請求の範囲】
【請求項１】
可撓性チューブに挿入されるノズル部を備えたノズル付きキャップにおいて、前記ノズル部はキャップ本体から突出する基部と、該基部と連続する導入部とからなり、
前記導入部は、前記基部と連続し、２乃至７度の傾斜を有する導入部本体と、１５乃至４５度のテーパー面を有する先端導入部とからなり、前記可撓性チューブと係止する複数の係り止め部を備え、
前記係り止め部は、間隙を有して配設され、その少なくとも一つが前記先端導入部と連続するように且つ面一に設けられ、
前記基部は、基部本体と、該基部本体よりも前記キャップ本体側に設けられた基端部とを有しており、
前記基部本体と前記基端部との間には、段差が設けられており、それによって、該基端部の外径は、該基部本体の外径よりも小さく且つ前記係り止め部の外径よりも小さくなる様に細首状にせしめられており、
前記可撓性チューブが前記先端導入部より前記基端部まで挿入され使用されることを特徴とするノズル付きキャップ。
【請求項２】
前記基端部は、前記可撓性チューブの口径と比較して同程度の細首状に形成されていることを特徴とする請求項１に記載のノズル付きキャップ。
【発明の詳細な説明】
【技術分野】
【０００１】
本発明は、ノズル付きキャップに関し、より詳細には、チューブに挿入されるノズルを備えたノズル付きキャップに関する。
【背景技術】
【０００２】
従来、流動食等を収容した容器に装着されるノズル付きキャップがある。当該キャップは、例えば、医療現場等で、当該容器に螺着され、ノズルをチューブに挿し込んで、当該チューブにより、当該容器に収納された流動食等を患者に投与する時に使用される。当該ノズルは当該チューブに挿入しやすく且つ抜けにくいことが求められるが、例えば、当該ノズルとして、テーパー面を有するノズル（特許文献１を参照）や連続する複数のリッジ（係り止め）のあるノズル（特許文献２を参照）等が公開されている。
【先行技術文献】
【特許文献】
【０００３】
【特許文献１】特開平１０−５７４５１号公報
【特許文献２】特許第３９５４３７２号公報
【発明の概要】
【発明が解決しようとする課題】
【０００４】
しかしながら、このようなノズルでは、抜け易いために、使用者等が誤って、前記チューブが引っ掛かる等して引っ張られた際、意図せずに当該チューブが抜け落ちる可能性があるという問題があった。
【０００５】
そこで、本発明は、この様な問題がなく、且つ、前記チューブをノズルに挿入しやすいノズル付きキャップを提供することを目的とする。
【課題を解決するための手段】
【０００６】
本発明は、可撓性チューブに挿入されるノズル部を備えたノズル付きキャップにおいて、前記ノズル部はキャップ本体から突出する基部と、該基部と連続する導入部とからなり、前記導入部は、前記基部と連続し、２乃至７度の傾斜を有する導入部本体と、１５乃至４５度のテーパー面を有する先端導入部とからなり、前記可撓性チューブと係止する係り止め部を備え、前記係り止め部は、間隙を有して配設され、その少なくとも一つが前記先端導入部と連続するように且つ面一に設けられ、前記基部は、基部本体と、該基部本体よりも前記キャップ本体側に設けられた基端部とを有しており、前記基部本体と前記基端部との間には、段差が設けられており、それによって、該基端部の外径は、該基部本体の外径よりも小さく且つ前記係り止め部の外径よりも小さくなる様に細首状にせしめられており、前記可撓性チューブが前記先端導入部より前記基端部まで挿入され使用されることを特徴とするノズル付きキャップである。
【０００７】
又、本発明は、前記基端部は、前記可撓性チューブの口径と比較して同程度の細首状に形成されていることを特徴とするノズル付きキャップである。
【発明の効果】
【０００９】
本発明のノズル付きキャップでは、ノズル部の導入部が、２乃至７度の傾斜を有する導入部本体と、１５乃至４５度のテーパー面を有する先端導入部とからなることによりチューブの挿入を容易に行うことができる。挿入後は、係り止め部の少なくとも一つが先端導入部と連続するように設けられており、前記チューブの内面に係止するとともに、チューブを引っ張った時に当該チューブの内面の径が細まり、先端導入部と連結するように設けられた係り止め部の締め付け抵抗を更に大きく生じさせると共に先端導入部のテーパー面が面接触し、抵抗が生じるため、当該チューブがノズルキャップから抜けにくい。
【００１０】
又、前記係り止め部が複数設けられていることにより、前記係り止め部に係止された前記チューブの引っ張り方向への抵抗が大きくなるため、当該チューブがノズルキャップから抜けにくい。
【００１１】
又、前記係り止め部が、間隙を有して配設されていることによって、より当該チューブがノズルキャップから抜けにくくなる。
【図面の簡単な説明】
【００１２】
【図１】本発明の実施の形態を示すキャップの斜視図である。
【図２】本発明の実施の形態を示すキャップの平面図である。
【図３】図２のIII−III線における断面図である。
【図４】本発明の実施の形態を示すキャップの底面図である。
【図５】本発明の実施の形態におけるノズル部の拡大図である。
【発明を実施するための形態】
【００１３】
本発明の実施の形態について図１乃至５に基づき説明する。ノズル付きキャップ１はキャップ本体２と、該キャップ本体２から連続し、図示されないチューブが挿入されるノズル部３とから構成される。
【００１４】
キャップ本体２は天壁４とその外周縁から垂下する側壁５から構成され、側壁５の外周面には、外周面より突出するように設けられた一対の指掛け部６が軸対称に形成される。又、指掛け部６の間にはローレット部７が設けられている。ローレット部７はその両端側が、中心側より幅が広く、又は角度大きくなるように形成される。又、キャップ本体２は、スクリューキャップとなっており、その内面に図示されない容器を螺着するための螺条部８が形成されている。従って、ローレット部７が滑り止めとなり、且つ、指掛け部６に使用者は指を掛けることができるため、ノズル付きキャップ１は当該容器へ容易に螺着することができる。
【００１５】
キャップ本体２の天壁４には、天壁４より垂下する略円筒状のインナーリング９が、側壁５よりも内側に、設けられており、インナーリング９は、ノズル付きキャップ１が前記容器に螺着された際、当該容器口部の内周面を圧接できるように形成されている。又、側壁５とインナーリング９の間にはコンタクトリング４ａがインナーリング９と同心円状に設けられており、コンタクトリング４ａは当該容器口部の上端縁に圧接される。従って、当該容器の内容物、例えば流動食等、が漏れることなく前記チューブへと注出することができる。
【００１６】
ノズル部３は、中空に流路３ａが形成され、キャップ本体２の中心部より突出するように設けられる。又、ノズル部３は、基部１０と、該基部１０と連続する導入部１１により構成される。尚、ノズル部３はキャップ本体２の中心でなく、より外周縁に近い位置に設けても良い。
【００１７】
基部１０はキャップ本体２から連続する基端部１２及びノズル部３へと連続する基部本体１３により構成される。基部本体１３の外径は基端部１２の外径より大きく形成され、前記両者１３、１２の境には段差１０ａが設けられている。前記段差１０ａにより、基端部１２は基部本体１３よりも細首状にせしめられており、その外径はノズル部３に挿入されるチューブの口径と比較して同程度、且つ、後述の係り止め部１６よりも細く形成される。
【００１８】
導入部１１は、基部１０と連続する導入部本体１４と、先端１５ｂにノズル孔１５ｃを有する先端導入部１５とから構成され、先細円錐台状に形成されている。導入部本体１４は、その傾斜角θ１は２乃至７度となるように、好ましくは、２．５乃至は５度となるように、形成される。本実施の形態において、傾斜角θ１＝約３度である。尚、ここで、傾斜角θ１とは、ノズル部３の中心軸３Ｃ、又は、該中心軸３Ｃに平行な直線Ｆ１と前記導入部本体１４の傾斜面を通る傾斜線Ｌ１との交差角をいう。
【００１９】
しかしながら、流路３ａを形成するノズル部３の内面は当該傾斜角が０度乃至５度未満となるように形成される。このようにすることで、前記容器の内容物を流路３ａを経てノズル部３に挿入されるチューブへと注出する際、当該内容物が詰まることなく、安定した注出性を得ることができる。本実施の形態では、流路３ａは円筒状に形成されており、当該傾斜角は０度である。
【００２０】
先端導入部１５には、テーパー面１５ａが形成されている。テーパー面１５ａはその傾斜角θ２は１５乃至４５度となるように、好ましくは、１５乃至は３０度となるように、形成される。本実施の形態において傾斜角θ２＝約２８度である。その先端１５ｂの外径は前記チューブの口径に応じて、その口径よりも細くなるように適宜設計される。
なお、ここで、傾斜角θ２とは、ノズル部３の中心軸３Ｃ、又は、中心軸３Ｃに平行な直線Ｆ２と先端導入部１５の傾斜面を通る傾斜線Ｌ２との交差角をいう。先端導入部１５の中心軸３Ｃ方向の長さは、必要に応じて適宜選択される。
【００２１】
導入部本体１４及び基部本体１３の外周面には、中心軸３Ｃ方向に間隔をおいて複数の係り止め部１６が設けられている。この係り止め部１６は、例えば、鋸歯状に形成されるが、この鋸歯状として、その断面が垂直壁１６ｖと傾斜壁１６ｚを備えた直角三角形状が採用されている。第１の係り止め１６Ａは、導入部本体１４の先端１５ｂ側に、先端導入部１５に連続して設けられている。この第１の係り止め１６Ａは、２つの係り止め部１６ａ、１６ｂにより構成され、その係り止め部１６ａの傾斜面１６ｚは、先端導入部１５のテーパー面１５ａと面一に形成されている。
【００２２】
第２の係り止め１６Ｂは、前記導入部本体１４と基部本体１３の境界部に設けられ、前記第１の係り止め１６Ａと同様に２つの係り止め部１６ｃ、１６ｄにより構成されている。第３の係り止め１６Ｃは、前記第１の係り止め１６Ａと第２の係り止め１６Ｂとの間の、先端導入部１５側寄りに設けられているが、この係り止め１６Ｃは、前記係り止め１６Ａ、１６Ｂと異なり、１つの係り止め部１６ｅにより構成されている。
【００２３】
前記各係り止め部１６ａ〜１６ｅの導入部本体１４外表面からの突出量は、等しく形成されているので、各係り止め部１６ａ〜１６ｅの先端を結ぶ直線と中心軸３Ｃとの交差角は、前記導入部本体１４の傾斜角θ１と同じ角度となる。前述のように複数の係り止め１６Ａ、１６Ｂ、１６Ｃを設けたので、導入部本体１４は、２箇所の円錐台状の間隙１７を有していることとなる。
【００２４】
尚、係り止め部１６は、少なくとも第１の係り止め１６Ａ、詳細には、係り止め部１６ａが形成されていればよく、その数、形状等は適宜変更することができる。
【００２５】
ノズル付きキャップ１は、図示されない可撓性チューブに挿入され使用される。当該チューブとして、例えば、ゴム管等が用いられる。この時、当該チューブは基部１３の基端部１２まで挿入される。この際、係り止め部１６は、当該チューブがキャップ本体２方向（挿入方向）に移動する時には抵抗とならないよう鋸歯状に形成されており、又、ノズル部３の導入部１１は先細円錐台状に形成されているので、当該チューブへのノズル部３の挿入を容易に行うことができる。
【００２６】
又、本実施の形態のノズル付きキャップ１では、ノズル部３に挿入されたチューブが引っ掛かる等して引っ張られた際、
（１）基端部１２は当該チューブの口径と比較して同程度の細首状になっており、基部本体１３との間に段差１０ａが設けられているため、当該チューブが引っ張られた際に、当該チューブの先端が基端部１２に巻き込まれ、基部本体１３での当該チューブの引っ張り方向への抵抗が大きくなり、当該チューブがノズル付きキャップ１から抜けにくくなっている。
【００２７】
（２）又、先端導入部１５に連続する鋸歯状の係り止め１６Ａがあることによって、係り止め部１６が返しとして働き、当該チューブが係止されるため、当該チューブが引っ張り方向に伸びて細まる。この時、少なくとも、テーパー面１５ａの傾斜角θ２は１５乃至４５度であると、当該チューブ内面が先端導入部１５のテーパー面１５ａに面接触するため摩擦抵抗が大きくなる。
【００２８】
（３）更に、複数の係り止め１６Ａ、１６Ｂ、１６Ｃが、その間に間隙１７を有して、導入部本体１４及び基部本体１３に亘って配設されているため、当該チューブ内面が間隙１７に接触し、当該チューブ内面とノズル部３との当接面積が増えることで摩擦抵抗が大きくなる。このため、意図せずに当該チューブが抜け落ちることがないようになっている。
【００２９】
従って、本実施の形態のノズル付きキャップ１を用いることで、例えば、医療現場等で流動食等を患者に投与する際に、誤って抜け落ちることがないため、より安全に投与することができ、且つ、チューブの挿入を容易に行うことができる。
【００３０】
尚、本発明は、前記医療現場等での使用に限定されるものでなく、様々な分野に応用することができる。
【符号の説明】
【００３１】
１      ノズル付きキャップ      ２      キャップ本体    
３      ノズル部                ３ａ    流路
４      天壁                    ４ａ    コンタクトリング
５      側壁                    ６      指掛け部
７      ローレット部            ８      螺条部            
９      インナーリング          １０    基部                  
１０ａ  段差                    １１    導入部                  
１２    基端部                  １３    基部本体                
１４    導入部本体              １５    先端導入部              
１５ａ  テーパー面              １５ｂ  先端                    
１５ｃ  ノズル孔                １６    係り止め部
１６Ａ  第１の係り止め          １６Ｂ  第２の係り止め        
１６Ｃ  第３の係り止め          １７    間隙                  
【図１】
0005612900.tif 000002
【図２】
0005612900.tif 000003
【図３】
0005612900.tif 000004
【図４】
0005612900.tif 000005
【図５】
0005612900.tif 000006